(57)【要約】【課題】  ２つの光源の相互間に遮光片を介在させて不要な光が表示窓に映ることを防ぐ遮光片をフロントパネルに設けることが困難な場合であっても、遮光片を２つの光源の相互間に適切に介在させることができるようにする。【解決手段】  ２つの光源３５，３６を機器本体である光ディスク装置１００と共に内蔵している筐体１のフロントパネル１３に、２つの光源３５，３６のそれぞれに個別に対応する表示窓（インジケータ）２５，２６を設ける。２つの光源３５，３６の相互間に介在されて一方側の光源３５の点消灯状態が他方側の光源３６の点消灯状態を表示する表示窓２６に表示されることを防ぐ遮光片４を、光ディスク装置１００の樹脂製のシャーシ１１０に一体成形する。【選択図】        図１
2007058928.tif 000002
【特許請求の範囲】
【請求項１】
横並び配列されたＬＥＤでなる２つの光源を、光ディスク装置と磁気テープ装置との組合せでなる機器本体と共に内蔵している箱形ケースと、
その箱形ケースの前面に配備されてその箱形ケースと共働して筐体を形成するフロントパネルと、
このフロントパネルに具備されて２つの上記光源のそれぞれに個別に対応してインジケータを形成する２つの表示窓とを備え、
それぞれの光源の点消灯状態がそれらに個別に対応している上記表示窓に表示されるように構成されているインジケータを有する電気機器において、
相隣接する２つの上記光源の相互間に配備されて、押下げ杆を押し込むことによって切換え操作されるプッシュスイッチと、
上記フロントパネルに設けられて上記プッシュスイッチを操作するためのプッシュボタンと、
上記プッシュボタンに一体成形されて上記押下げ杆との対峙位置まで延び出し、そのプッシュボタンのブッシュ動作を上記プッシュスイッチの押下げ杆の押込み動作に連動させるためのレバーと、
上記フロントパネルに設けられて相隣接する２つの上記光源の光をそれらに対応する２つの上記表示窓に個別に導く導光体と、
上記機器本体の樹脂製のシャーシに一体成形することにより追加され、相隣接する２つの上記光源の相互間に介在されて一方側の光源の点消灯状態が他方側の光源の点消灯状態を表示する表示窓に表示されることを防ぐ遮光片と、
を具備していることを特徴とするインジケータを有する電気機器。
【請求項２】
横並び配列された複数の光源を機器本体と共に内蔵している筐体に、複数の上記光源のそれぞれに個別に対応してインジケータを形成する複数の表示窓が備わり、それぞれの光源の点消灯状態がそれらに個別に対応している上記表示窓に表示されるように構成されているインジケータを有する電気機器において、
相隣接する２つの光源の相互間に介在されて一方側の光源の点消灯状態が他方側の光源の点消灯状態を表示する表示窓に表示されることを防ぐ遮光片が、上記機器本体の樹脂製のシャーシに一体成形されていることを特徴とするインジケータを有する電気機器。
【請求項３】
２つの上記光源の相互間に、押下げ杆を押し込むことによって切換え操作されるプッシュスイッチが配備され、そのプッシュスイッチを操作するためのプッシュボタンが上記筐体に設けられていると共に、そのプッシュボタンのブッシュ動作を上記プッシュスイッチの押下げ杆の押込み動作に連動させるレバーが、上記プッシュボタンに一体成形されて上記押下げ杆との対峙位置まで延び出ている請求項２に記載したインジケータを有する電気機器。
【請求項４】
相隣接する２つの上記光源の光をそれらに対応する２つの上記表示窓に個別に導く導光体が上記筐体に設けられている請求項２又は請求項３に記載したインジケータを有する電気機器。
【請求項５】
上記筐体が、上記機器本体と複数の上記光源と上記プッシュスイッチとを内蔵している箱形ケースと、その箱形ケースの前面に配備されるフロントパネルとを合わせることにより形成されていて、そのフロントパネルに、上記表示窓と導光体と上記プッシュボタンとが備わっている請求項４に記載したインジケータを有する電気機器。
【発明の詳細な説明】
【技術分野】
【０００１】
本発明は、ＬＥＤなどの光源の光を筐体の表示窓に表示させることができるようになっているインジケータを有する電気機器に関する。
【背景技術】
【０００２】
従来、ＬＥＤなどの発光体の光を前面パネルの光表示窓に導いて電源のオンオフや作動状況などを光表示するようにした電子機器が知られていた（たとえば、特許文献１参照）。この特許文献１には、箱形樹脂成形品でなる遮光板の内部を隔壁によって数室に区切り、各室内に配備したチップＬＥＤ及び光導管をその隔壁によって遮蔽することが記載されている。また、電子装置の表面パネルから外部に向けて発光する光源部をその電子装置に取り付ける場合に、光源部としてのＬＥＤ素子を、上記表面パネルとその表面パネルの内側に配備した遮光板とに形成した穴部に挿入状態で配備することによって、光源部の位置決めを行いやすくすることも提案されていた（たとえば、特許文献２参照）。
【０００３】
これらの各特許文献の記載によると、光源にＬＥＤを用い、それらの光源を横並び配列すると共に、個々の光源に個別に対応させて筐体側に設けた表示窓でそれらの光源の点消灯状態を表示させることや、光源の光が他の光源に対応している表示窓に表示されることを防ぐために遮光を行うということ、などが従来より知られているとも考えられる。
【０００４】
ところで、機器本体としての光ディスク装置と磁気テープ装置とを１つの偏平な箱形筐体に内蔵したオーディオビジュアル複合機（ＡＶ複合機）では、その筐体のフロントパネルに各種の動作モードを選択するための複数のプッシュボタンや、選択された動作モードを表示するためのインジケータとしての複数の表示窓を具備させていることが多い。
【０００５】
図４はそのようなＡＶ複合機の一例を概略的に示した外観斜視図、図５はそのＡＶ複合機のフロントパネル１３の要部を拡大した正面図である。
【０００６】
図４に例示したＡＶ複合機において、その筐体１は、ボトムシャーシとトップケースとリアケースとを合わせることによって形成された箱形ケース１２と、この箱形ケース１２の前面に配備された樹脂成形体でなるフロントパネル１３とを備えていて、箱形ケース１２には、ＤＶＤドライブなどの光ディスク装置と磁気テープ装置との組合せでなる機器本体が内蔵されていると共に、複数の動作モード選択スイッチやその他の必要な回路、電気電子部品などを搭載した配線基板などが内蔵されている。これに対し、図４又は図５に示したように、フロントパネル１３には、光ディスク装置のディスクトレイが出退されるトレイ出入口１４や磁気テープ装置のテープカセットが出し入れされるカセット着脱口１５が設けられているだけでなく、光ディスク装置及び磁気テープ装置を選択的に動作モードに設定するためのセレクト用のプッシュボタン２１のほか、光ディスク装置についての動作モード選択ボタン群２２や、磁気テープ装置についての動作モード選択ボタン群２３などが設けられ、さらには、光ディスク装置及び磁気テープ装置のどちらの動作モードが選択されているかを示すインジケータ（セレクト用インジケータ）としての第１及び第２の２つの表示窓２５，２６も設けられている。
【０００７】
また、図６には２つの上記表示窓２５，２６（図４又は図５参照）によって点消灯状態が表示されるＬＥＤでなる光源３５，３６などの配備箇所を概略正面図で示してある。図７は図６のＶＩＩ−ＶＩＩ線に沿う部分に相当する上記ＡＶ複合機の概略縦断側面図である。
【０００８】
図６又は図７のように、プッシュスイッチ３１や第１及び第２の２つの光源３５，３６は、箱形ケース１２に内蔵されている配線基板３に搭載されていて、それら２つの光源３５，３６がプッシュスイッチ３１を挟む両側に位置している。そして、プッシュボタン２１に一体成形されたレバー２４がプッシュスイッチ３１の押下げ杆３２との対峙位置まで延び出ていて、そのレバー２４を介して、プッシュボタン２１の押込み動作にプッシュスイッチ３１の押下げ杆３２の押込み動作が連動するようになっている。そして、プッシュスイッチ３１の押下げ杆３２の押込み動作が繰り返されると、それに見合って、上記した光ディスク装置と磁気テープ装置とが選択的に動作モードに切り換えられ、併せて、第１及び第２の２つの光源３５，３６のうちのいずれかが選択的に点灯するようになっている。また、２つの光源３５，３６には、フロントパネル１３に取り付けられた第１及び第２の２つの導光体３７，３８が各別に付設されていて、第１の導光体３７が第１の光源３５の光を第１の表示窓２５（図４又は図５参照）に導き、第２の導光体３８が第２の光源３６の光を第２の表示窓２６（図４又は図５参照）に導くようになっている。
【０００９】
したがって、たとえば、プッシュボタン２１が押し込まれてプッシュスイッチ３１が光ディスク装置１００を動作モードに設定した場合には、それに伴って第１の光源３５が点灯してその光が第１の導光体３７により第１の表示窓２５に導かれ、その表示窓２５に第１の光源３５の光が映ってその光源３５の点灯状態が表示されるのに対し、第２の光源３６は消灯し、第２の表示窓２６にはその光源３６の光が映らなくなってその表示窓２６に第２の光源３６の消灯状態が表示される。これとは逆に、プッシュボタン２１が押し込まれてプッシュスイッチ３１が磁気テープ装置（不図示）を動作モードに設定した場合には、それに伴って第２の光源３６が点灯してその光が第２の導光体３８により第２の表示窓２６に導かれ、その表示窓２６に第２の光源３６の光が映ってその光源３６の点灯状態が表示されるのに対し、第１の光源３５は消灯し、第１の表示窓２５にはその光源３５の光が映らなくなってその表示窓２５に第１の光源３５の消灯状態が表示される。
【００１０】
このようなＡＶ複合機において、第１及び第２の２つの光源３５，３６のうち、たとえば第１の光源３５が点灯し、第２の光源３６が消灯しているときに、第１の光源３５の光が第２の光源３６に付設されている第２の導光体３８側へ漏れるということが起こると、インジケータとしての第１及び第２の２つの表示窓２５，２６のうちの第１の表示窓２５だけでなく、第２の表示窓２６にも光が映ってしまい、両方の表示窓２５に明るさの差異が生じているとしても、ユーザにとっては、光ディスク装置１００が動作モードになっているのか、磁気テープ装置が動作モードになっているのかが判りにくくなる。第２の光源３６の光が第１の光源３５に付設されている第１の導光体３７側へ漏れるということが起こった場合も同様である。
【００１１】
このような状況を未然に回避するための対策として、２つの光源３５，３６の相互間を遮光することによって光の漏れを防ぐことが必要になる。
【特許文献１】特開２００４−１３３０６６号公報
【特許文献２】特開２００４−９３９４２号公報
【発明の開示】
【発明が解決しようとする課題】
【００１２】
そこで、光の漏れを防ぐためには、上掲の特許文献１に記載されているような箱形樹脂成形品でなる遮光板を別途取り付けることも一策ではあるけれども、そのようにすると、遮光板が別途必要になって部品点数が増大し、部品コストや組立コストなどが高くつくようになるという問題がある。また、図４のＡＶ複合機のように表示窓２５，２６と光源３５，３６とが離れているものでは、特許文献２に記載されているように光源を表示窓に直接に臨ませるという対策を講じることができない。そのため、一般的には、フロントパネル１３に一体成形した遮光片を、２つの光源３５，３６の相互間空間に嵌め込んで遮光するという対策を講じることが多い。
【００１３】
しかしながら、図４〜図７を参照して説明したＡＶ複合機では、フロントパネル１３にプッシュボタン２１や動作モード選択ボタン群２２，２３が設けられているほか、それらのプッシュボタン２１や各ボタン群２２，２３を形成している個別のボタンにはそれぞれ図６又は図７に示したようなレバーが一体成形されているために、フロントパネル１３側に、遮光片を一体成形しておくための十分なスペースを確保することのできない場合がある。
【００１４】
本発明は以上の状況の下でなされたものであり、プッシュスイッチや光源などを搭載している配線基板が、機器本体を構成している光ディスク装置や磁気テープ装置と共に筐体に内蔵されている点に着目し、その機器本体を利用して複数の光源を相互に遮光するための遮光片を設けるという対策を講じることのできるインジケータを有する電気機器を提供することを目的とする。
【課題を解決するための手段】
【００１５】
本発明に係るインジケータを有する電気機器は、横並び配列された複数の光源を機器本体と共に内蔵している筐体に、複数の上記光源のそれぞれに個別に対応してインジケータを形成する複数の表示窓が備わり、それぞれの光源の点消灯状態がそれらに個別に対応している上記表示窓に表示されるように構成されている。そして、相隣接する２つの光源の相互間に介在されて一方側の光源の点消灯状態が他方側の光源の点消灯状態を表示する表示窓に表示されることを防ぐ遮光片が、上記機器本体の樹脂製のシャーシに一体成形されている。
【００１６】
この構成であれば、遮光片が機器本体の樹脂製のシャーシに一体成形されているために、光源の光の不要な漏れを防ぐ遮光片ををけたからといって部品点数が増えることがなく、また、筐体側に遮光片を設けたりする必要がなくなる。
【００１７】
このことから、本発明では、２つの上記光源の相互間に、押下げ杆を押し込むことによって切換え操作されるプッシュスイッチが配備され、そのプッシュスイッチを操作するためのプッシュボタンが上記筐体に設けられていると共に、そのプッシュボタンのブッシュ動作を上記プッシュスイッチの押下げ杆の押込み動作に連動させるレバーが、上記プッシュボタンに一体成形されて上記押下げ杆との対峙位置まで延び出ているという構成を、遮光片を設けるスペースを考慮せずに無理なく採用することが可能になる。
【００１８】
同様に、相隣接する２つの上記光源の光をそれらに対応する２つの上記表示窓に個別に導く導光体が上記筐体に設けられているという構成、さらには、上記筐体が、上記機器本体と複数の上記光源と上記プッシュスイッチとを内蔵している箱形ケースと、その箱形ケースの前面に配備されるフロントパネルとを合わせることにより形成されていて、そのフロントパネルに、上記表示窓と導光体と上記プッシュボタンとが備わっているという構成が採用されていても、遮光片によって光源の光の不要な漏れを防ぐことが可能になる、ということが云える。
【００１９】
本発明に係るインジケータを有する電気機器は、横並び配列されたＬＥＤでなる２つの光源を、光ディスク装置と磁気テープ装置との組合せでなる機器本体と共に内蔵している箱形ケースと、その箱形ケースの前面に配備されてその箱形ケースと共働して筐体を形成するフロントパネルと、このフロントパネルに具備されて２つの上記光源のそれぞれに個別に対応してインジケータを形成する２つの表示窓とを備え、それぞれの光源の点消灯状態がそれらに個別に対応している上記表示窓に表示されるように構成されているインジケータを有する電気機器において、相隣接する２つの上記光源の相互間に配備されて、押下げ杆を押し込むことによって切換え操作されるプッシュスイッチと、上記フロントパネルに設けられて上記プッシュスイッチを操作するためのプッシュボタンと、上記プッシュボタンに一体成形されて上記押下げ杆との対峙位置まで延び出し、そのプッシュボタンのブッシュ動作を上記プッシュスイッチの押下げ杆の押込み動作に連動させるためのレバーと、上記フロントパネルに設けられて相隣接する２つの上記光源の光をそれらに対応する２つの上記表示窓に個別に導く導光体と、上記機器本体の樹脂製のシャーシに一体成形することにより追加され、相隣接する２つの上記光源の相互間に介在されて一方側の光源の点消灯状態が他方側の光源の点消灯状態を表示する表示窓に表示されることを防ぐ遮光片と、を具備している、という構成を採用することが可能である。この発明の作用は、後述する実施形態を参照して詳細に説明する。
【発明の効果】
【００２０】
以上のように、本発明によれば、筐体に内蔵されている機器本体の樹脂製のシャーシに、２つの光源の相互間に介在されて一方側の光源の点消灯状態が他方側の光源の点消灯状態を表示する表示窓に表示されることを防ぐ遮光片を一体成形してあるので、その遮光片の遮光作用を活用して表示窓での光源の点消灯状態の表示を正確にかつ明瞭に行わせることのために、部品点数を増やしたり、筐体やそのフロントパネルに遮光片を設けたりする必要がない。その結果、インジケータを有する電気機器を安価に提供することが可能になり、併せて、ユーザにとっては、動作モードや各種の選択モードの切換わり状態を明瞭に認識することができるようになって使い勝手が向上するという効果が奏される。
【発明を実施するための最良の形態】
【００２１】
図１は本発明の実施形態に係るインジケータを有する電気機器の光源の配備箇所を示した正面図、図２は図１のＩＩ−ＩＩ線に沿う部分に相当する上記電気機器の概略縦断側面図、図３は当該電気機器に備わっている光ディスク装置１００の概略斜視図である。
【００２２】
この実施形態に係るインジケータを有する電気機器は、図４を参照して説明した電気機器と同様の外観を有するＡＶ複合機であって、偏平箱形の筐体１には、横並び状態の光ディスク装置１００と磁気テープ装置（不図示）との組合せでなる機器本体が内蔵されている。そして、筐体１が、ボトムシャーシとトップケースとリアケースとを合わせることによって形成された箱形ケース１２と、この箱形ケース１２の前面に配備された樹脂成形体でなるフロントパネル１３とを備え、そのフロントパネル１３には、光ディスク装置のディスクトレイが出退されるトレイ出入口１４や磁気テープ装置のテープカセットが出し入れされるカセット着脱口１５、光ディスク装置及び磁気テープ装置を選択的に動作モードに設定するためのセレクト用のプッシュボタン２１、光ディスク装置についての動作モード選択ボタン群２２、磁気テープ装置についての動作モード選択ボタン群２３、光ディスク装置及び磁気テープ装置のどちらの動作モードが選択されているかを示すインジケータ（セレクト用インジケータ）としての第１及び第２の２つの表示窓２５，２６などが設けられている。
【００２３】
また、図１又は図２に示したように、プッシュスイッチ３１や第１及び第２の２つの光源３５，３６は、箱形ケース１２に内蔵されている配線基板３に搭載されていて、２つの光源３５，３６がプッシュスイッチ３１を挟む両側に位置している。そして、プッシュボタン２１に一体成形されたレバー２４がプッシュスイッチ３１の押下げ杆３２との対峙位置まで延び出ていて、そのレバー２４を介して、プッシュポタン２１の押込み動作にプッシュスイッチ３１の押下げ杆３２の押込み動作が連動するようになっている。また、プッシュスイッチ３１の押下げ杆３２の押込み動作が繰り返されると、それに見合って、上記した光ディスク装置１００と磁気テープ装置とが選択的に動作モードに切り換えられ、併せて、第１及び第２の２つの光源３５，３６のうちのいずれかが選択的に点灯するようになっている。また、２つの光源３５，３６には、フロントパネル１３に取り付けられた第１及び第２の導光体３７，３８が各別に付設されていて、第１の導光体３７が第１の光源３５の光を第１の表示窓２５（図４又は図５参照）に導き、第２の導光体３８が第２の光源３６の光を第２の表示窓２６（図４又は図５参照）に導くようになっている。
【００２４】
この実施形態においても、第１の光源３５が点灯したときにその光が第２の導光体３８側に漏れ出ないようにし、かつ、第２の光源３６が点灯したときにその光が第１の導光体３７側に漏れ出ないようにするために、２つの光源３５，３６の相互間に遮光片４を介在させている。この実施形態において、遮光片４は、プッシュスイッチ３１と一方側の光源３５との間に介在された第１分割片４１とプッシュスイッチ３１と他方側の光源３５との間に介在された第２分割片４１とに２分割されている。
【００２５】
したがって、たとえば、プッシュボタン２１（図４参照）が押し込まれてプッシュスイッチ３１が光ディスク装置１００を動作モードに設定した場合には、それに伴って第１の光源３５が点灯してその光が第１の導光体３７により第１の表示窓２５に導かれ、その表示窓２５に第１の光源３５の光が映ってその光源３５の点灯状態が表示されるのに対し、第２の光源３６は消灯していて、しかも、第１及び第２の２枚の分割片４１，４２によって第１の光源３５の光が第２の導光体３８側に漏れ出ないように遮光されているので、第２の表示窓２６にはそれらの光源３５，３６の光が映らなくなってその表示窓２６に第２の光源３６の消灯状態が明瞭に表示される。これとは逆に、プッシュボタン２１が押し込まれてプッシュスイッチ３１が磁気テープ装置（不図示）を動作モードに設定した場合には、それに伴って第２の光源３６が点灯してその光が第２の導光体３８により第２の表示窓２６に導かれ、その表示窓２６に第２の光源３６の光が映ってその光源３６の点灯状態が表示されるのに対し、第１の光源３５は消灯していて、しかも、第１及び第２の２枚の分割片４１，４２によって第２の光源３６の光が第１の導光体３７側に漏れ出ないように遮光されているので、第１の表示窓２５にはそれらの光源３５，３６の光が映らなくなってその表示窓２５に第１の光源３５の消灯状態が明瞭に表示される。したがって、ユーザにとっては、光ディスク装置１００が動作モードになっているのか、磁気テープ装置が動作モードになっているのかを第１及び第２の表示窓２５，２６を目で見て明瞭に認識することができるようになる。
【００２６】
この実施形態において、第１及び第２の２枚の分割片４１，４２でなる遮光片４は、光ディスク装置１００の樹脂製のシャーシ１１０に一体成形することにより追加されている。図３のように、光ディスク装置１００は、樹脂製のシャーシ１１０にディスクトレイ１２０が出退可能に組み付けられていると共に、そのシャーシ１１０には当該光ディスク装置１００を動作させるのに必要な要素、たとえば光ピックアップなどの光学系要素やディスクトレイ１２０によって搬入されたディスクのチャッキング機構などの機械的要素などが組み付けられている。そして、シャーシ１１０の片側前端部に、上記遮光片４が樹脂で一体成形されている。したがって、当該電気機器の組立工程で、ボトムシャーシにトップケースを取り付けるのに先立ってその光ディスク装置１００をボトムシャーシの定位置に取り付ける工程を行うと、ボトムシャーシにあらかじめ取り付けられた配線基板３に搭載されている２つの光源３５，３６とプッシュスイッチ３１との３者の相互間に遮光片４の第１及び第２の２枚の分割片４１，４２が介在されて遮光作用を発揮するようになる。
【００２７】
以上のように、遮光片４を光ディスク装置１００のシャーシ１１０に一体成形しておくと、フロントパネル１３に遮光片を成形したりする必要がないので、冒頭で説明したようなフロントパネル１３に遮光片を一体成形しておくための十分なスペースを確保することができない場合であっても、そのことが遮光片４を設けることの障害にならないという利点があり、そのような利点のために、フロントパネル１３により多くのプッシュボタン類を設けることができるようになるという効果や、フロントパネル１３の裏面側に補強リブを設けたりすることも容易に可能になるという効果が発揮される。また、別部品である遮光片を取り付ける必要もなくなるので、遮光片４を設けることによって部品点数が増加するということにもならない。
【００２８】
この実施形態では、光ディスク装置１００のシャーシ１１０に２枚の分割片４１，４１２でなる遮光片４を一体成形した事例を説明したけれども、遮光片４は必ずしも２枚の分割片４１，４２に分割されている必要はなく、１枚だけの分割片によって形成されていてもよい。また、インジケータとしての表示窓に光を映し出すための光源の数が３つ、あるいはそれより多い数である場合には、個々の光源の相互間ごとに遮光片を介在させておけばよい。さらに、たとえば遮光を行う必要のある光源が磁気テープ装置の下側に配備されているときには、磁気テープ装置の樹脂製のシャーシに遮光片を一体成形しておけばよい。また、電気機器は、機器本体が光ディスク装置１００と磁気テープ装置との組合せでなるＡＶ複合機である必要は必ずしもなく、テレビジョン受像機と光ディスク装置、あるいは、テレビジョン受像機と磁気テープ装置との組合せでなるＡＶ複合機であっても、さらには、光ディスク装置、磁気テープ装置又はテレビジョン受像機といった専用機であってもよい。
【図面の簡単な説明】
【００２９】
【図１】本発明の実施形態に係るインジケータを有する電気機器の光源の配備箇所を示した正面図である。
【図２】図１のＩＩ−ＩＩ線に沿う部分に相当する上記電気機器の概略縦断側面図である。
【図３】当該電気機器に備わっている光ディスク装置の概略斜視図である。
【図４】ＡＶ複合機でなる電気機器の一例を概略的に示した外観斜視図である。
【図５】図４のＡＶ複合機のフロントパネルの要部を拡大して示した正面図である。
【図６】光源などの配備箇所を示した概略正面図である。
【図７】図６のＶＩＩ−ＶＩＩ線に沿う部分に相当するＡＶ複合機の概略縦断側面図である。
【符号の説明】
【００３０】
４  遮光片
１２  箱形ケース
１３  フロントパネル
２１  プッシュボタン
２４  レバー
２５，２６  表示窓（インジケータ）
３１  プッシュスイッチ
３２  押下げ杆
３５，３６  光源
３７，３８  導光体
１００  光ディスク装置
１１０  シャーシ
【図１】
2007058928.tif 000003
【図２】
2007058928.tif 000004
【図３】
2007058928.tif 000005
【図４】
2007058928.tif 000006
【図５】
2007058928.tif 000007
【図６】
2007058928.tif 000008
【図７】
2007058928.tif 000009